(57)【要約】【課題】  寸法精度にバラツキのある便器にあっても水平方向からの取付作業によって不具合なく温水洗浄装置を取付けできる温水洗浄装置の取付構造を提供する。【解決手段】  便器２のボウル部３の後方上面４に断面逆Ｕ字状の支持金具５を固定する。支持金具５の上から便器２のボウル部３の後方上面４に温水洗浄装置１を載置する。温水洗浄装置１の下面から支持金具５の両側片５ｂの外側に隣接させるように一対の垂下片６を垂設する。垂下片６に上下に長い長孔７をそれぞれ穿孔する。支持金具５の両側片５ｂに水平に架設した雄ネジ８の両端を各垂下片６の長孔７にそれぞれ挿通する。支持金具５側ほど外径を小さくするようなテーパ面９ａを備えたナット９を雄ネジ８の両端にそれぞれ螺着する。雄ネジ８に螺進させたナット９のテーパ面９ａを長孔７の下縁に下方に押圧させて温水洗浄装置１を便器２のボウル部３の後方上面４に圧接する。【選択図】        図１
2006002489.tif 000002
【特許請求の範囲】
【請求項１】
便器のボウル部の後方上面に断面逆Ｕ字状の支持金具を固定し、支持金具の上から便器のボウル部の後方上面に温水洗浄装置を載置し、温水洗浄装置の下面から支持金具の両側片の外側に隣接させるように一対の垂下片を垂設し、この垂下片に上下に長い長孔をそれぞれ穿孔し、支持金具の両側片に水平に架設した雄ネジの両端を各垂下片の長孔にそれぞれ挿通し、支持金具側ほど外径を小さくするようなテーパ面を備えたナットを雄ネジの両端にそれぞれ螺着し、雄ネジに螺進させたナットのテーパ面を長孔の下縁に下方に押圧させて温水洗浄装置を便器のボウル部の後方上面に圧接したことを特徴とする温水洗浄装置の取付構造。
【請求項２】
上記長孔の下縁にナットのテーパ面に面接触するテーパ面を形成したことを特徴とする請求項１記載の温水洗浄装置の取付構造。
【発明の詳細な説明】
【技術分野】
【０００１】
本発明は、局部洗浄を行う温水洗浄装置の便器への取付構造に関するものである。
【背景技術】
【０００２】
従来から、局部洗浄を行う温水洗浄装置の便器への取付けにあっては、温水洗浄装置を便器のボウル部の後方上面に載置し、温水洗浄装置側に設けた固定用孔と便器側に設けた固定用孔とを連通させ、連通させた各固定用孔にボルトを挿入して固定させている（たとえば特許文献１参照）。なお、この温水洗浄装置の便器への取付けにあっては、各固定用孔が上下に穿設されて上下方向からボルトを挿通させることで温水洗浄装置と便器とを固定する場合や、各固定用孔が水平方向に穿設されて水平方向からボルトを挿通させることで温水洗浄装置と便器とを固定する場合がある。
【０００３】
ところで、便器は一般に寸法精度を出しにくい陶器で形成されていることから、便器のボウル部の後方上面が所定の上下位置にない場合もあり、これによると、上記後者の水平方向からの取付作業で温水洗浄装置を便器に固定する場合には、温水洗浄装置の固定用孔が便器の固定用孔に対して上下に位置ずれてしまって連通せず、温水洗浄装置と便器との取付けができなかったり、取付状態で温水洗浄装置とボウル部の後方上面との間に予期せぬ隙間ができるといった不具合が生じてしまうのであった。
【特許文献１】特開平８−１５０１００号公報
【発明の開示】
【発明が解決しようとする課題】
【０００４】
本発明は上記の従来の問題点に鑑みて発明したものであって、寸法精度にバラツキのある便器にあっても水平方向からの取付作業によって不具合なく温水洗浄装置を取付けできる温水洗浄装置の取付構造を提供することを課題とするものである。
【課題を解決するための手段】
【０００５】
上記課題を解決するために本発明に係る請求項１の温水洗浄装置の取付構造は、便器２のボウル部３の後方上面４に断面逆Ｕ字状の支持金具５を固定し、支持金具５の上から便器２のボウル部３の後方上面４に温水洗浄装置１を載置し、温水洗浄装置１の下面から支持金具５の両側片５ｂの外側に隣接させるように一対の垂下片６を垂設し、この垂下片６に上下に長い長孔７をそれぞれ穿孔し、支持金具５の両側片５ｂに水平に架設した雄ネジ８の両端を各垂下片６の長孔７にそれぞれ挿通し、支持金具５側ほど外径を小さくするようなテーパ面９ａを備えたナット９を雄ネジ８の両端にそれぞれ螺着し、雄ネジ８に螺進させたナット９のテーパ面９ａを長孔７の下縁に下方に押圧させて温水洗浄装置１を便器２のボウル部３の後方上面４に圧接したことを特徴とする。
【０００６】
これによると、温水洗浄装置１を載置する便器２のボウル部３の後方上面４が所定の上下位置にない場合にも、便器２のボウル部３の後方上面４に固定した支持金具５に水平に架設した雄ネジ８を温水洗浄装置１の長孔７に挿通させることは確保できるので、雄ネジ８にナット９を締め付けることで行われる温水洗浄装置１の便器２への取付けを確保することができる。また、雄ネジ８に螺進させたナット９は長孔７の下縁をそのテーパ面９ａで押圧させて温水洗浄装置１を便器２のボウル部３の後方上面４に圧接させているので、載置状態にある温水洗浄装置１と便器２のボウル部３の後方上面４との間には予期せぬ隙間など生じさせず、良好な温水洗浄装置１の便器２への取付状態を確保できる。また、温水洗浄装置１を便器２のボウル部３の後方上面４に圧接させるためのナット９は雄ネジ８の両端に螺合されているので、つまり左右のバランスを図りながら温水洗浄装置１を便器２に取付けることができ、温水洗浄装置１の便器２への良好な取付状態を確保することができる。
【０００７】
また、請求項２の温水洗浄装置の取付構造は、請求項１において、上記長孔７の下縁にナット９のテーパ面９ａに面接触するテーパ面７ａを形成したことを特徴とする。これによると、ナット９のテーパ面９ａと長孔７の下縁との圧接が面接触で行われ、温水洗浄装置１の取付け強度を向上できる。
【発明の効果】
【０００８】
本発明は、寸法精度にバラツキのある便器にあっても、水平方向からの取付作業によって、載置した温水洗浄装置と便器との間での予期せぬ隙間の発生を防止しつつ、温水洗浄装置の左右のバランスも確保しつつ、不具合なく温水洗浄装置を便器に取付けできるという効果を有している。
【発明を実施するための最良の形態】
【０００９】
以下、本発明を添付図面に示す実施形態に基いて説明する。
【００１０】
便器２は、その前部にボウル部３が設けられ、ボウル部３の後方上面４にはボウル部近傍の前方部分に比べて後方部分を低位置にする段部１０が形成されている。便宜上、ボウル部３の後方上面４における段部１０より前方部分は前上面部４ａと称し、ボウル部３の後方上面４における段部１０より後方部分は後上面部４ｂと称する。
【００１１】
また、局部洗浄などを行う洗浄装置を内装した温水洗浄装置１は、その前方部位を便器２のボウル部３に張り出すようにしてボウル部３の後方上面４に載置、固定される。なお、温水洗浄装置１にはその前部に便蓋１４や便座１５が上下に回動自在に取り付けられる。ここで、温水洗浄装置１の下面における前部域１ａは便器２の前上面部４ａに載置され、温水洗浄装置１の下面における後部域１ｂには脚部１１が下方に突設されてこの脚部１１が便器２の後上面部４ｂの後方位置に載置される。温水洗浄装置１の下面における前部域１ａと後部域１ｂとの間の部位を中部域１ｃと称すると、温水洗浄装置１の下面における中部域１ｃとボウル部３の後方上面４との間には左右方向に貫通する隙間Ｓが形成されている。温水洗浄装置１はこの隙間Ｓを利用して便器２に固定されている。以下、詳述する。
【００１２】
便器２の後上面部４ｂにおける左右中央部には縦断面逆Ｕ字状の支持金具５が固定され、この支持金具５を用いて温水洗浄装置１が便器２に固定されている。この支持金具５は、一枚の金属板を折り曲げて形成されており、詳しくは、水平片５ａの左右両端から側片５ｂが垂設され、各側片５ｂの下端から左右方向の外側で且つ水平にボウル部３の後方上面４に載置させる設置片５ｃが突設されている。ここで、各側片５ｂの後方上部の角部には連通する貫通孔１２がそれぞれ穿孔され、各設置片５ｃには上下に貫通する固定用貫通孔１３が穿孔されている。固定用貫通孔１３には上方からボウル部３の後方上面４に締結させる固定用ボルト（図示せず）が挿通されるのであり、この固定用ボルトにてボウル部３の後方上面４に支持金具５が固定されている。
【００１３】
また、温水洗浄装置１の下面の中部域１ｃにおける左右方向の両端部近傍部位にはそれぞれ垂下片６が垂設されている。この垂下片６の温水洗浄装置１の下面からの突出寸法は少なくとも隙間Ｓの上下寸法よりは短く形成されている。温水洗浄装置１をボウル部３の後方上面４に載設したときには、各垂下片６は支持金具５の両側片５ｂの左右方向の外側にそれぞれ隣接配置され、側片５ｂの貫通孔１２と各垂下片６の長孔７とが連通状態にされる。そして、この連通状態にある各側片５ｂの貫通孔１２及び各垂下片６の長孔７には、周面にネジ溝が刻設された軸状部材である雄ネジ８が挿通される。詳しくは、雄ネジ８は各側片５ｂの貫通孔１２に挿通したことで支持金具５の所定位置に略水平に架設されるのであり、各側片５ｂの貫通孔１２を通った部位よりも端部側の雄ネジ８の各部位で各垂下片６の長孔７に挿通される。そして、各長孔７から左右外側に突出した雄ネジ８の両端にそれぞれナット９を螺合し、垂下片６の外面に当接させるように締め付けることで、温水洗浄装置１を支持金具５を介して便器２に固定させるのである。
【００１４】
ここで、上記ナット９には支持金具５側ほど外径を小さくするようなテーパ面９ａが形成されている。また、各垂下片６の長孔７の下縁には上記ナット９のテーパ面９ａに面接触するためのテーパ面７ａが形成されている。しかして、ナット９を垂下片６に近づけるように雄ネジ８に螺進させていくと、ナット９のテーパ面９ａが長孔７のテーパ面７ａを徐々に下方に押し込むように面接触し、温水洗浄装置１が下方に押し下げられる。ここで、温水洗浄装置１をボウル部３の後方上面４に載置した状態では、上述のように、温水洗浄装置１の下面における前部域１ａが便器２の前上面部４ａに載置されると共に、温水洗浄装置１の下面における後部域１ｂの脚部１１が便器２の後上面部４ｂの後方位置に載置されているので、上記のように下方に押し下げられた温水洗浄装置１はその前部域１ａや脚部１１が便器２のボウル部３の後方上面４に圧接されるのである。したがって、温水洗浄装置１を便器２のボウル部３に載置して固定した状態では温水洗浄装置１の下面と便器２のボウル部３の後方上面４との間に予期せぬ隙間を発生させることが防止され、つまり温水洗浄装置１の便器２への取付けが不具合無く行われるようになっているのである。
【００１５】
ここで、背景技術の項でも説明したが、一般に陶器で製造される便器２には正確な寸法精度の確保が難しいため、たとえば前上面部４ａと後上面部４ｂとの間の上下寸法は各々便器２によって異なる場合があるが、この場合にも垂下片６の長孔７と側片５ｂの貫通孔１２との連通は確保されるのであり、しかして、長孔７及び貫通孔１２への雄ネジ８の挿通も確保され、ひいては、温水洗浄装置１の支持金具５を介しての不具合の無い便器２への固定が確保されるのである。更に言うと、本例では、雄ネジ８の両端にそれぞれ螺合させた各ナット９によって温水洗浄装置１の便器２への圧接が行われているので、左右のバランスを図りながら温水洗浄装置１を便器２に取付けることができるのであり、温水洗浄装置１の便器２への良好な取付状態を確保できるといった利点も有している。また、ナット９のテーパ面９ａが押圧される長孔７の下縁には特に上記テーパ面７ａを設けないでも、上記温水洗浄装置１の不具合の無い便器２への固定状態は確保されるのであるが、本例のように長孔７の下縁にナット９のテーパ面９ａに面接触されるテーパ面７ａを形成したものでは、ナット９と長孔７の下縁との接触が安定して行われるから、温水洗浄装置１の便器２への固定強度の向上が図られているのである。
【００１６】
また、雄ネジ８として、その両端で逆方向にねじが切られた逆ねじ構造を有するものを採用することも好ましく、これによると、一方のナット９と雄ネジ８とを供廻りをさせて他方のナット９を螺進させることができるから、ナット９を雄ネジ８に螺進させる際の作業性を向上できる。また、雄ネジ８は支持金具５の貫通孔１２に挿通させた状態で溶接などにより固着されて一体化させても好ましく、これによると、ナット９を固定状態にある雄ネジ８に対して螺進させることができ、ナット９を雄ネジ８に螺進させる際の作業性を向上できるのである。
【図面の簡単な説明】
【００１７】
【図１】本発明の実施の形態の例の温水洗浄装置の便器への取付状態の要部の左右方向の縦断面図である。
【図２】同上の斜め上前方から見た便器及び温水洗浄装置の分解斜視図である。
【図３】同上の斜め下後方から見た便器及び温水洗浄装置の分解斜視図である。
【図４】同上の温水洗浄装置の便器への取付状態の要部の前後方向の縦断面図である。
【図５】同上の温水洗浄装置の便器への取付状態における便器を省略した要部の斜視図である。
【符号の説明】
【００１８】
１  温水洗浄装置
２  便器
３  ボウル部
４  後方上面
５  支持金具
５ｂ  側片
６  垂下片
７  長孔
７ａ  テーパ面
８  雄ネジ
９  ナット
９ａ  テーパ面
【図１】
2006002489.tif 000003
【図２】
2006002489.tif 000004
【図３】
2006002489.tif 000005
【図４】
2006002489.tif 000006
【図５】
2006002489.tif 000007